(57)【要約】  吸収性コア領域と、側部と、固定サブシステムとを含む使い捨て着用可能吸収性物品。固定サブシステムは厳密に１つの側部固定部材を含む。側部固定部材は、前側末端部と、後側末端部と、中間部とを有する経路を有する。前側末端部、後側末端部、又は両末端部は、吸収性コア領域の外側に配置される。前側末端部は前側末端部長手方向外側距離に配置される。後側末端部は後側末端部長手方向外側距離に配置される。中間部は中間部長手方向外側距離に配置される。中間部長手方向外側距離は前側末端部長手方向外側距離よりも長く、かつ後側末端部長手方向外側距離よりも長い。
2010536525.tif 000002
【特許請求の範囲】
【請求項１】
吸収性コア領域と側部とを含む使い捨て着用可能吸収性物品であって、
該物品が、厳密に１つの側部固定部材を含む、固定サブシステムを更に含むことを特徴とし、
前記側部固定部材は、
経路と、
前側末端部長手方向外側距離にある前側末端部位置に配置される前記経路の前側末端部と、
後側末端部長手方向外側距離にある後側末端部位置に配置される前記経路の後側末端部と、
前記前側末端部と前記後側末端部との間の前記経路に沿って配置され、中間部長手方向外側距離に配置される中間位置を含む中間部と、を含み、
前記前側末端部位置及び前記後側末端部位置の少なくとも一方が前記吸収性コア領域の外側であり、及び
前記中間部長手方向外側距離が前記前側末端部長手方向外側距離より長く、かつ前記後側末端部長手方向外側距離よりも長い、使い捨て着用可能吸収性物品。
【請求項２】
前記側部が、前記固定サブシステムを含み、前記固定サブシステムは、側部の固定サブシステムである、請求項１に記載の使い捨て着用可能吸収性物品。
【請求項３】
前記物品が締結可能な物品であり、
前記側部が、前記側部固定部材と締結具とを含む側部耳パネルを含み、及び
前記前側末端部位置が前記締結具に近接する、請求項１に記載の使い捨て着用可能吸収性物品。
【請求項４】
前記側部が、第１部分と、該第１部分の外側の第２部分とを含み、
前記側部固定部材のほぼ全部が前記第１部分内に配置され、
前記第１部分のほぼ全部がより高い指向性弾性率を有するように構成され、及び
前記第２部分のほぼ全部が１つ以上のより低い指向性弾性率を有するように構成される、請求項１に記載の使い捨て着用可能吸収性物品。
【請求項５】
前記側部が、第１部分と、該第１部分の外側の第２部分とを含み、
前記側部固定部材のほぼ全部が前記第１部分内に配置され、
１つ以上の未伸長領域が前記第１部分のほぼ全部にわたって配置され、及び
前記第２部分のほぼ全部が漸増的に伸長される、請求項１に記載の使い捨て着用可能吸収性物品。
【請求項６】
前記側部が、第１部分と、該第１部分の外側の第２部分とを含み、
前記側部固定部材のほぼ全部が前記第１部分内に配置され、及び
１つ以上の過接着領域が前記第１部分のほぼ全部にわたって配置される、請求項１に記載の使い捨て着用可能吸収性物品。
【請求項７】
前記側部が、第１部分と、該第１部分の外側の第２部分とを含み、
前記側部固定部材のほぼ全部が前記第１部分内に配置され、
前記第１部分のほぼ全部がより高いキャリパーのエストラマーを含み、及び
前記第２部分のほぼ全部が１つ以上のより低いキャリパーのエストラマーを含む、請求項１に記載の使い捨て着用可能吸収性物品。
【請求項８】
前記側部が、第１部分と、該第１部分の外側の第２部分とを含み、
前記側部固定部材のほぼ全部が前記第１部分内に配置され、
前記第１部分のほぼ全部がより高性能のエストラマーを含み、及び
前記第２部分のほぼ全部がより低性能のエストラマーを含む、請求項１に記載の使い捨て着用可能吸収性物品。
【請求項９】
前記側部固定部材が測地線として構成される、請求項１に記載の使い捨て着用可能吸収性物品。
【請求項１０】
前記側部固定部材の少なくとも一部分が前記側部と一体である、請求項１に記載の使い捨て着用可能吸収性物品。
【発明の詳細な説明】
【技術分野】
【０００１】
広くは、本開示の実施形態は着用可能吸収性物品に関する。特に、本開示の実施形態は固定サブシステムを有する使い捨て着用可能吸収性物品に関する。
【背景技術】
【０００２】
使い捨て着用可能吸収性物品としては、使い捨ておむつ及び使い捨て失禁用下着が挙げられる。使い捨て着用可能吸収性物品は、着用者により着用されている間、体外排泄物を受容し収容することができる。そのような物品は、数多くの構成で種々の材料により作製できる。使い捨て着用可能吸収性物品の設計は、物品を着用者に合わせる方法に影響を及ぼす可能性がある。残念ながら、一部の使い捨て着用可能吸収性物品は、着用者に不完全に合わせられる。一例としては、一部の使い捨て着用可能吸収性物は着用者が着用したときたるむ又は滑り落ちる可能性がある。着用者が着用したときたるむ又は滑り落ちる使い捨て着用可能吸収性物品は、付け心地が悪く、見栄えが悪く、物品が漏れを生じやすいため十分に機能しない可能性がある。
【図面の簡単な説明】
【０００３】
【図１Ａ】本開示の実施形態による、厳密に１つの側部固定部材を有する固定サブシステムを備えるサイドパネルを含むパンツ型の使い捨て着用可能吸収性物品の内側の平面図。
【図１Ｂ】装着用に形成された、図１Ａの実施形態の使い捨て着用可能吸収性物品の外側の斜視図。
【図１Ｃ】図１Ｂの実施形態の使い捨て着用可能吸収性物品の側部の一部分の拡大図。
【図２Ａ】本開示の実施形態による、１つの締結具を有する側部耳部並びに厳密に１つの側部固定部材を有する固定サブシステムを含む、前側締結可能な使い捨て着用可能吸収性物品の内側の平面図。
【図２Ｂ】装着用に形成された、図２Ａの実施形態の使い捨て着用可能吸収性物品の外側の斜視図。
【図２Ｃ】図２Ｂの実施形態の使い捨て着用可能吸収性物品の側部の一部分の拡大図。
【図２Ｄ】本開示の実施形態による、掛け側締結具と受け側締結具とを有する側部耳部並びに厳密に１つの側部固定部材を有する固定サブシステムを含む、前側締結可能な使い捨て着用可能吸収性物品の一部分の拡大図。
【図２Ｅ】本開示の実施形態による、２つの掛け側締結具を有する側部耳部並びに厳密に１つの側部固定部材を有する固定サブシステムを含む、前側締結可能な使い捨て着用可能吸収性物品の一部分の拡大図。
【図３Ａ】弾性率マッピング方法で試験するために、物品から切り取られかつマップでマークを付けられた使い捨て着用可能吸収性物品のサイドパネルの拡大図。
【図３Ｂ】本開示の実施形態による、弾性率マッピング方法で用いるための改良された空気式グリップ。
【図３Ｃ】本開示の実施形態による、図３Ａの実施形態のマップの正方形の弾性率の例示的なグラフ。
【図３Ｄ】弾性率マッピング方法試験から得られ、本開示の実施形態による、図３Ａの実施形態のマップの各正方形に関して記録される、弾性率の値を有する例示的なチャート。
【図３Ｅ】本開示の実施形態による、図３Ｄの実施形態のチャートの弾性率の値の例示的な表面輪郭プロット。
【発明を実施するための形態】
【０００４】
本開示の実施形態は、着用者に適切に合わせる固定サブシステムを有する使い捨て着用可能吸収性物品を含む。これらの物品の設計は、着用者が着用したとき物品がたるむ又は滑り落ちるのを防止するのを助ける。その結果、本開示の使い捨て着用可能吸収性物品は、物品が着用者の所定の場所に留まりかつ漏れない傾向があるので付け心地が良く、見栄えが良く、、適切に機能することができる。
【０００５】
本開示の実施形態は、使い捨て着用可能吸収性物品を含む。本開示全体を通して、用語「使い捨て着用可能吸収性物品」とは、着用者の人体の下部胴体に着用されるように構成され、体からの排泄物（例えば、尿及び糞便）を受容及び収容するように構成され、かつ着用者によって１回使用された後部分的に又は全体的に処分されるように構成された物品を指す。したがって、使い捨て着用可能吸収性物品は、汚れた物品又は物品の汚れた部分が回復若しくは再使用されることを意図されていない（例えば、洗濯されることを意図されていない）ように構成される。使い捨て着用可能吸収性物品の例としては、使い捨ておむつ、使い捨て失禁用下着等が挙げられる。使い捨て着用可能吸収性物品は、パンツ型の構成又は前側締結可能な構成などの様々な方法で構成されることができる。
【０００６】
本開示の実施形態では、使い捨て着用可能吸収性物品は、吸収性コアを含むことができる。本開示全体を通して、用語「吸収性コア」とは、着用者の体から物品に受容される排泄物を吸収するように構成された使い捨て着用可能吸収性物品の一部を指す。吸収性コアは、当業者により理解されるであろう種々の方法で構成されることができる。吸収性コアの例としては、吸収性コア組立品（１つ以上の任意のコア構造体を有する）、バケツ形状の吸収性コア、取り外し可能な及び／又は交換可能な吸収性コア等が挙げられる。
【０００７】
使い捨て着用可能吸収性物品を着用者に定置する際、該物品は、着用者を基準にして初期位置に定置される。この初期位置の位置は、物品の寸法、着用者の体の形状、及び物品が着用者に定置される方法などの多くの要因により決めることができる。例えば、締結可能なおむつの初期位置は、おむつが着用者のまわりに締結される位置によってある程度決めることができる。しかし、使い捨て着用可能吸収性物品が着用者によって着用されるとき、多くの抵抗力が物品に影響を及ぼす可能性がある。
【０００８】
これらの抵抗力の一部は、物品を着用者に接して動かす傾向を持つ場合がある。本開示全体を通して、用語「負荷」とは、着用者に接した箇所から使い捨て着用可能吸収性物品を動かす傾向がある抵抗力を指す。第１に、使い捨て着用可能吸収性物品は、物品の着用者への装着に由来する種々の負荷を受けることができる。例として、物品を締結することに由来する一部のあらかじめ加えられた抵抗力は、物品を下方に動かすことができる。第２に、使い捨て着用可能吸収性物品は、物品の環境に由来する様々な負荷を受けることができる。例えば、着用者の衣類は物品を引っ張る可能性がある。第３に、使い捨て着用可能吸収性物品は、着用者の動きに由来する様々な負荷を受けることができる。例えば、着用者が位置を変え又は動き回るとき、着用者の体は物品の一部に押しかかり又は物品に動的な抵抗力をもたらす場合がある。第４に、重力は、使い捨て着用可能吸収性物品を着用者に対して下に動かすことができる。物品は、物品の質量並びに物品に収容された任意の排泄物の質量が原因で、重力に由来する有意な負荷を受け得る。これらの負荷は、使い捨て着用可能吸収性物品に影響を及ぼすことができ、着用者に対して物品を動かす傾向がある。
【０００９】
しかし、使い捨て着用可能吸収性物品に影響を及ぼす他の抵抗力は、物品を着用者の所定の場所に保持する傾向があり得る。第１に、使い捨て着用可能吸収性物品は、物品の着用者への装着に由来する様々な保持力を受けることができる。例として、物品を締結することに由来する他のあらかじめ加えられた抵抗力は、物品を上方に動かすことができる。第２に、使い捨て着用可能吸収性物品の一部は、着用者の皮膚との接触に由来する摩擦推力を受けることができる。例えば、物品は、物品のウエストバンドが着用者の腰部まわりに及びそれに対して巻き付く場合、摩擦推力を受けることができる。第３に、使い捨て着用可能吸収性物品の一部は、着用者の体の様々な外面の解剖学的特徴との接触に由来する反作用の力を受けることができる。例として、物品は、物品が着用者の尻部の突出した部分と接触する場合、反作用の力を受けることができる。この例では、反作用の力は、物品を押し上げることにより重力に逆らって反応する。これらの保持力は、使い捨て着用可能吸収性物品に影響を及ぼすことができ、物品を着用者の所定の場所に保持する傾向がある。
【００１０】
一部の抵抗力は使い捨て着用可能吸収性物品を着用者に対して下方に移動させる傾向があり、他の抵抗力は使い捨て着用可能吸収性物品を着用者に対して上方に移動させる傾向があるので、物品の一部又は全部は、そのような抵抗力が均衡を保つかどうかにより、移動されるか又は移動されない場合がある。物品を上方に保持する傾向がある抵抗力を、物品を下方に移動する傾向がある抵抗力と等しくできる場合、物品は、着用者の所定の場所にそのままであることができる。物品を下方に動かす傾向がある抵抗力が物品を上方に保持する傾向がある抵抗力より大きい場合、物品の一部又は全部は、着用者に対して定位置から下方に移動することができる。時として、抵抗力が使い捨て着用可能吸収性物品の一部又は全部を下方に移動させる可能性があり、その結果たるみ及び／又は滑り落ちが生じる。
【００１１】
しかしながら、本開示の実施形態は、着用者が着用したときに、使い捨て着用可能吸収性物品がたるむ又は滑り落ちるのを防止するのを助けることができる。使い捨て着用可能吸収性物品は固定サブシステムを含むことができる。様々な実施形態では、固定サブシステムは、物品に作用する負荷の少なくとも一部を収集するように構成されることができる。固定サブシステムはまた、それ自体を着用者の体に固定するように構成されることもできる。このようにして、固定サブシステムは、固定することにより得られる保持力で収集された負荷の、少なくとも一部の均衡を保つことができる。得られた保持力で収集された負荷の均衡を保つことにより、固定サブシステムは、使い捨て着用可能吸収性物品を着用者の所定の場所に保持するのを少なくとも支援することができる。
【００１２】
固定サブシステムは、使い捨て着用可能吸収性物品に作用する負荷を収集し、それ自体を着用者の体に固定し、かつ固定することにより得られる保持力で収集された負荷の均衡を保つように構成されることができる。本開示全体を通して、用語「固定された」とは、物品が着用者によって着用されている間の、使い捨て着用可能吸収性物品の固定サブシステムの一部又は全部と着用者の体の一部又は全部との間の構成関係を指す。固定サブシステムの要素が着用者の体の一部分に固定されている場合、物品が着用者によって着用されている間、要素の少なくとも一部は体の部分と直接的に及び／又は間接的に接触し、固定サブシステムは要素と当該部分との間の相対的な動きを少なくとも減ずる及び／又は防止するように構成される。
【００１３】
固定サブシステムは、着用者の体の様々な部分に接触するように構成された固定システムの１つ以上の要素により着用者の体に固定されることができる。例えば、固定サブシステムは、着用者の体の前側、後側、及び／又は側部周りの少なくとも途中に１つ以上の固定システム要素を巻き付けることにより少なくとも部分的に固定されることができ、それにより摩擦及び／又は反作用の力をもたらす。
【００１４】
一部の実施形態では、比較的小さい曲率半径を有する体の一部は、より大きい摩擦推力をもたらすことができ、それは要素が、そのような部分の周りによりしっかりと巻き付く傾向があり得るためである。これは、湾曲した表面の周囲に巻かれ、張力下に置かれる可撓性材料の物理特性による。こうした場合、引張力が可撓性材料を張力下に置くため、可撓性材料は、曲面と垂直であり、曲面上で内側に向う垂直力を生じる。基本的なキャプスタン（capstan）の公式により、垂直力は曲面の半径で除した引張力に比例する。したがって、所定の引張力では、半径が小さくなるに従って、垂直力が大きくなる。
【００１５】
また、例として、固定サブシステムは、１つ以上の固定サブシステム要素を着用者の体の突出した部分上（on）、その周り、及び／又はその上（above）に固定することにより少なくとも部分的に固定されることができ、それにより摩擦及び／又は反作用の力をもたらす。一部の実施形態では、比較的大きい水平突出部を有する体の一部は、より大きい反作用の力をもたらすことができるが、それは要素が、かかる部分をより確実に吊るし及び／又はそれに跨る傾向があり得るためである。
【００１６】
負荷を収集し、それ自体を着用者の体に固定し、様々な抵抗力の均衡を保つため、固定サブシステムは１つ以上の固定サブシステム要素を含むように構成されることができる。一部の実施形態では、固定サブシステム要素は、張力を保持するように構成された細長い要素であることができる。固定サブシステム要素は、固定システムが含まれる使い捨て着用可能吸収性物品の着用者の体の外表面上の種々の経路に従うことができる。これらの外表面の形状は、経路の形状に影響を及ぼすことができる。経路の形状は、同様に、固定サブシステム要素の構成に影響を及ぼすことができる。
【００１７】
人間の体の多くの外表面は、人間の体の尻部の周りの曲線などの湾曲した形状を含む。体は様々な寸法及び形状を有するので、異なる人間の体は異なる曲線を含むことができる。一部の実施形態では、湾曲経路に従う固定サブシステム要素は、測地線であることができる。
【００１８】
用語、測地線とは、湾曲した幾可学的形状により説明される数学的特性を有する理論的な要素を指す。この理論的な文脈では、測地線は、曲面上の曲線であり、該曲線は、その曲面から見たとき、左又は右に向きを変えず真っ直ぐに移動しているように見受けられる。換言すれば、測地線を、摩擦のない局面上にピンと引っ張られた線として考えることができる。平面上では、２つの点間の最も短い距離は直線である。曲面上では、２つの点間の最も短い距離は測地線である。測地線及びそれらの数学的特性の更なる情報は、微分幾何学及び一般相対性理論のテキスト、例えば、バレット・オニール（Barrett O'Neill）著、「初等微分幾何学（Elementary Differential Geometry）」、第７章（アカデミックプレス（Academic Press）、２００６年）；及びジェイムス・フォスター（James Foster）＆デビッドＪ．ナイチンゲール（David J. Nightingale）著、「一般相対性理論入門（A Short Course in General Relativity）」、第２．１章（スプリンガー・サイエンス・アンド・ビジネスメディア（Springer Science and Business Media）、２００６年）に見出すことができる。
【００１９】
固定サブシステム要素の一部又は全部は測地線として構成されることができる。本開示全体を通して、固定サブシステム要素は、測地線として記載されるが、これらの説明は、そのような固定サブシステム要素が理論的な測地線要素に対する緊密な近似として構成されることを意味することを意図している。当業者により理解されるように、実際の要素は、少なくともある厚さを有し、必ず少なくともいくらかの摩擦を受け、かつ必ず少なくともいくらかの小さい非軸線方向の外部の抵抗力を受けるので、理論的な測地線要素と全く同じようには挙動できない。
【００２０】
要素は着用者の体の外表面上の様々な凸部湾曲経路に従うので、固定サブシステム要素の一部又は全部は測地線として構成されることができる。張力の負荷を受ける（例えば、軸線方向の負荷）固定サブシステム要素は、張力が要素を凸部湾曲経路に適合させることができるので、測地線として構成されることができる。点負荷が測地線である固定サブシステム要素に加えられると、測地線に対してインライン以外の角度で、その点負荷は当初の測地線を変形させ、当初の測地線を固定サブシステム要素の２つの新しい測地線に分割する。
【００２１】
同様に、測地線として張力で構成された固定サブシステム要素が人体の一般に凸部外表面の凹部分上を通過する場合、要素は凹部分に橋をかけ、固定サブシステム要素を凹部分のいずれかの凸部側部上の２つの測地線に分離する。更に、固定サブシステム要素の橋かけ部分も、空間における直線であることから測地線である。
【００２２】
測地線である固定サブシステム要素が、要素の長さの少なくとも一部分に沿って配置される負荷を受ける場合、測地線に対してインラインである角度以外では要素はもはや測地線として挙動せず、代わりに本明細書で「幾何学的固定」と呼ばれる方法で機能しはじめる。固定サブシステムは、１つ以上の固定サブシステム要素を含むことができ、その少なくとも一部は測地線として構成されることができる。
【００２３】
固定サブシステム要素の一種は側部固定部材（SAM:side anchoring member）である。ＳＡＭは、使い捨て着用可能吸収性物品の固定サブシステムの画定されたＳＡＭ経路に沿って配置される、１つ以上の物理的な、張力を保持する要素及び／又は領域である。ＳＡＭは２つの画定された末端部と、２つの末端部の間の中間部と、その一方の末端部から他方の末端部までの画定された長さとを有する。ＳＡＭは１つ以上の幅を有することができ、幅のそれぞれはその画定された長さより短い。ＳＡＭはまた、その一方の末端部から他方の末端部まで、その幅の中心のＳＡＭ経路に沿って走る中心線を有する。ＳＡＭ経路は、着用者の体の下部胴体をほぼ又は完全に取り囲むことができる。ＳＡＭ経路の少なくとも一部分は使い捨て着用可能吸収性物品の側部を通過する。一部の実施形態において、ＳＡＭは使い捨て着用可能吸収性物品の側部内に包含されることができる。更に、様々な実施形態では、ＳＡＭは使い捨て着用可能吸収性物品のサイドパネル又は側部耳部内に包含されることができる。
【００２４】
様々な方法で使い捨て着用可能吸収性物品の側部を画定することができる。使い捨て着用可能吸収性物品の側部は、物品の前側の一部分並びに物品の後側の一部分を含むことができる。時として、使い捨て着用可能吸収性物品の側部は、物品の長手方向中心線から横方向にオフセットされた物品の一部分の中に配置されると考えることができる。本開示全体を通して、特に指定のない限り、使い捨て着用可能吸収性物品の側部は、物品の吸収性コアの長手方向縁部から横方向外側にある物品の一部分の中に配置される。場合によっては、使い捨て着用可能吸収性物品の側部は、物品のシャーシの最も狭い部分から横方向外側にある物品の一部分の中に配置されると考えることができる。様々な場合に、使い捨て着用可能吸収性物品の側部は、物品のサイドパネル又は側部耳部の中に配置されると考えることができる。本開示の実施形態は、使い捨て着用可能吸収性物品の側部のこれらの定義のいずれかを用いて使用することができる。
【００２５】
使い捨て着用可能吸収性物品の固定サブシステムでは、１つ以上のＳＡＭが、着用者の体の様々な部分と接触するように構成されることができ、固定サブシステムを体に固定するのを少なくとも支援する。ＳＡＭは、使い捨て着用可能吸収性物の１つ以上の要素、例えば、シャーシ、締結具、レッグカフ等からの少なくともいくらかの収集された負荷を受容することができる。ＳＡＭはまた、保持力を提供して体との接触を介して収集された負荷の均衡を保つことを助けることができる。これらの負荷及び抵抗力の均衡を保つ際、ＳＡＭは固定システムの張力を保持する。この均衡は、固定サブシステムが使い捨て着用可能吸収性物品を着用者の所定の場所に保持するのを少なくとも支援するのを可能とすることができる。
【００２６】
ＳＡＭは様々な形態に構成され得る。一部の実施形態では、ＳＡＭは締結具などの多くの要素を含むことができる。ＳＡＭの一部又は全部は、直線である、湾曲される、角度を付けられる、セグメント化される、若しくはその他の形状、又はこれらの形状の任意の組み合わせであることができる。ＳＡＭ経路は一体型の連続経路であることができ、又はＳＡＭ経路に沿って配置された多くの分離性の要素及び／又は別個の領域から形成することができる。例として、ＳＡＭは、サイドパネル又は側部耳部を通る材料の実質的に平行のストランドから形成することができ、若しくはサイドパネル又は側部耳部に取り付けられた材料の一連の片から形成することができ、又は漸増式に伸長されたサイドパネル又は側部耳部に未伸長領域を配置することにより形成することができる。
【００２７】
ＳＡＭの一部又は全部は、使い捨て着用可能吸収性物品の１つ以上の要素と構造的に関連付けられることができる。例として、ＳＡＭの一部又は全部を、使い捨て着用可能吸収性物品の１つ以上の要素から分離することができ、及び／又は該要素に接合することができ、及び／又は該要素に取り付けることができ、及び／又は該要素の中に組み込むことができ、及び／又は該要素と一体化することができる。本開示全体を通して、用語「接合した」とは、要素を直接他の要素に貼り付けることにより要素が別の要素に直接接続される構成、及び要素を中間体部材に貼り付け、そしてそれが順次他の要素に貼り付けられることにより要素が別の要素に間接的に固定される構成を指す。
【００２８】
ＳＡＭは、固定システムの張力を保持するのに好適な任意の材料から作製されることができる。ＳＡＭの一部又は全ては、様々な弾性、非弾性、伸張性、非伸張性、伸縮性、及び／又は非伸縮性材料の１つ以上、及び／又は任意のその他の好適な材料、並びに／あるいはこれらの材料のいずれかの組み合わせを含むことができる。例として、ＳＡＭの一部又は全部は、様々なエラストマー材の一種類以上、例えば押出しフィルム、弾性体、不織布、スクリム、スロットコーティングされたフィルム、スプレー若しくはメルトブロー繊維、及び／又は印刷された弾性体、及び／又は任意のその他の好適なエラストマー材、並びに／あるいはこれらの材料のいずれかの組み合わせを含むことができる。
【００２９】
また例として、１つ以上の要素が弾性不織布で構成される、弾性フィルム及び伸張性不織布で構成される、伸張性フィルム及び弾性不織布で構成される、収縮することが可能な弾性ストランドで前伸長されて構成される、ゼロ歪積層体で構成される、並びに／又はこれらの構成及び／若しくはその他の構成の組み合わせで構成される、実施形態のような使い捨て着用可能吸収性物品の１つ以上の要素の一部又は全部と、ＳＡＭの一部又は全部を、構造的に関連付けることができる。一部の実施形態において、ＳＡＭは１つ以上の積層材料を含むことができる。様々な実施形態において、ＳＡＭを、当業者により理解されるであろう様々な坪量、化学的性質及び／又は漸増式な伸長で形成することができる。
【００３０】
ＳＡＭは任意の好適な幅又は厚さであることができる。例えば、ＳＡＭは、幅５ｍｍ〜約５０ｍｍ、又はこの範囲内の任意の幅であることができる。ＳＡＭの幅及び／又は厚さは、ＳＡＭの１つ以上の一部にわたって又はＳＡＭの全長にわたってほぼ又は完全に均一であることができ、あるいはＳＡＭの長さにわたって変化することができる。一部の実施形態において、ＳＡＭは約１０ｍｍ、約２０ｍｍ、又は３０ｍｍのほぼ均一な幅を有することができる。本開示全体を通して、特に指定のない限り、ＳＡＭの幅は、ＳＡＭの中心線と垂直な方向の経路の一方の側端から経路の他方の側端までの、経路を横切る最も大きな全体寸法として、ＳＡＭの経路上の特定の点で測定される。
【００３１】
上記のように、固定サブシステムは負荷及び抵抗力の均衡を保つことができるので、米国特許出願第１１／５９９，８５１号に記載のような使い捨て着用可能吸収性物品用固定システムの機能と同様の機能を実行する。その結果、固定サブシステムは、使い捨て着用可能吸収性物品用固定システムと同様の利益を提供することができ、着用者が着用したとき物品がたるむ又は滑り落ちるのを防止するのを助ける。しかしながら、固定サブシステムは、使い捨て着用可能吸収性物品内に存在するという範囲において固定システムと異なる。使い捨て着用可能吸収性物品の固定サブシステムでは、使い捨て着用可能吸収性物品を着用者が着用したときに、着用者の下部胴体をほぼ又は完全に取り囲む固定サブシステムの要素はない。更に、固定サブシステムは、使い捨て着用可能吸収性物品の特定の画定された領域内に包含される。例えば、使い捨て着用可能吸収性物品の側部固定サブシステムは、使い捨て着用可能吸収性物品の側部内に包含される。
【００３２】
図１Ａは、厳密に１つの側部固定部材１５０を有する固定サブシステム１７０を含むパンツ型の使い捨て着用可能吸収性物品１１０の内側の平面図を示す。
【００３３】
図１Ａにおいて、長手方向中心線１１３及び横方向中心線１１７は、使い捨て着用可能吸収性物品１１０の一部分の相対的な位置を参照するための参照線を提供する。第１部分が第２部分よりも長手方向中心線１１３に近接するとき、第１部分は、第２部分に対して横方向に内側１１２にあると考えることができる。同様に、第２部分は第１部分から横方向外側１１４と考えることができる。第３部分が第４部分よりも横方向中心線１１７に近接するとき、第３部分は、第４部分に対して長手方向内側１１６にあると考えることができる。同様に、第４部分は、第３部分から長手方向外側１１８にあると考えることができる。図１Ａは、使い捨て着用可能吸収性物品１１０に対して横方向内側、横方向外側、長手方向内側、及び長手方向外側の相対方向を示す矢印を含んでいる。本開示全体を通して、特に指定のない限り、長手方向寸法、測定値、線、又は方向への言及は、長手方向中心線１１３に対してほぼ又は完全に平行である寸法、測定値、線、又は方向を指し、横方向寸法、測定値、線、又は方向への言及は、横方向中心線１１７に対してほぼ又は完全に平行である寸法、測定値、線、又は方向を指す。
【００３４】
使い捨て着用可能吸収性物品１１０は、前側１２３と後側１２７とを含む。前側１２３は、使い捨て着用可能吸収性物品１１０が着用者によって着用されるときに、一般に着用者の腹部に近接して及び／又はその下に配置されている使い捨て着用可能吸収性物品１１０の一部分である。「前側」への言及は、その言及の前後関係に応じて、前側それ自体、前側の要素の一部又は全部、及び／又は前側の配置を意味することができる。後側１２７は、使い捨て着用可能吸収性物品１１０が着用者によって着用されるときに、一般に着用者の背部に近接して及び／又はその下に配置されている使い捨て着用可能吸収性物品１１０の一部分である。「後側」への言及は、言及の前後関係に応じて、後側それ自体、後側の要素の一部又は全部、及び／又は後側の配置を意味することができる。使い捨て着用可能吸収性物品１１０の横方向中心線１１７は、前側１２３と後側１２７との間に境界を形成する。上記した前側及び後側の技術用語は、特に指示がない限り、本開示全体を通して使い捨て着用可能吸収性物品に使用される。
【００３５】
使い捨て着用可能吸収性物品１１０はまた、シャーシ１２０と、前側ウエストバンド１２１と、シャーシ１２０の最も狭い部分１２２と、長手方向縁部１２４を有する吸収性コア１２５と、吸収性コア領域１２６と、前側腰縁部１２８−Ｆと、後側腰縁部１２８−Ｂと、後側ウエストバンド１２９とを含む。吸収性コア１２５及び長手方向縁部１２４をより明確に示すために、シャーシ１２０の一部分は表面を一部切り取って示されている。第１側部１３１の前側部分は前側１２３の中に配置される。第１側部１３９の後側部分は後側１２７の中に配置される。使い捨て着用可能吸収性物品１１０は第１サイドパネルを有し、第１サイドパネルは、第１側部境界１３５を介して接続するように構成された第１サイドパネルの前側部分１３３と第１サイドパネルの後側部分１３７とを含む。本開示全体を通して、明確にするために、サイドパネルは使い捨て着用可能吸収性物品内の個別要素として示されている。しかしながら、様々な実施形態において、サイドパネルの１つ以上の部分又は全部は使い捨て着用可能吸収性物品内の個別要素でなくてもよい。
【００３６】
使い捨て着用可能吸収性物品１１０は固定サブシステム１７０を含む。固定サブシステム１７０は吸収性コア１２５に直接接続されておらず、吸収性コア領域１２６の外側であり、したがって固定サブシステム１７０は吸収性コア１２５と別個である。しかしながら、様々な実施形態において、固定サブシステムの１つ以上の要素の一部又は全部は吸収性コア領域の内側にあることができ、及び／又は吸収性コアに接合されるか又は直接接続されることができる。使い捨て着用可能吸収性物品１１０が着用されたときに、ＳＡＭ１５０は着用者の下部胴体をほぼ又は完全に取り囲まないので、固定サブシステム１７０はサブシステムであると考えられる。固定サブシステム１７０は使い捨て着用可能吸収性物品１１０の特定の画定された部分内に包含されるので、固定サブシステム１７０は同様にサブシステムであると考えられる。図１Ａ〜図１Ｃの実施形態において、固定サブシステム１７０は使い捨て着用可能吸収性物品１１０の第１側部内に包含されるので、固定サブシステム１７０は側部固定サブシステムであると考えられる。
【００３７】
固定サブシステム１７０はＳＡＭ  １５０を含む。ＳＡＭ  １５０の少なくとも一部分は使い捨て着用可能吸収性物品１１０の側部を通過するので、ＳＡＭ  １５０は側部固定部材であると考えられる。図１Ａの実施形態において、ＳＡＭ  １５０は第１サイドパネル内に包含されている。様々な実施形態において、ＳＡＭ  １５０の一部又は全部は測地線として構成されることができ、その結果固定サブシステム１７０は測地線的固定を提供することができる。
【００３８】
明確にするために、図１Ａ〜図３Ｃの実施形態では、ＳＡＭは視覚的に明らかな要素として示されている。しかしながら、様々な実施形態において、固定サブシステム要素の一部又は全部は使い捨て着用可能吸収性物品内で容易に視覚的に明らかでなくてもよい。例えば、ＳＡＭがサイドパネル又は側部耳部の中に組み込まれるか又はサイドパネル又は側部耳部と一体である実施形態では、ＳＡＭは容易に視覚的に明らかでなくてもよい。
【００３９】
ＳＡＭ  １５０はＳＡＭ経路１５１に沿って配置される。ＳＡＭ経路１５１は、前側末端部１５３と、後側末端部１５９と、中間部１５５とを含む。前側末端部は前側１２７の前側末端部位置１５２に配置される。後側末端部１５９は後側１２３の後側末端部位置１５８に配置される。中間部１５５は、ＳＡＭ経路１５１に沿って前側末端部１５３と後側末端部１５９との間の中間位置１５６に配置される。図１Ａの実施形態では、中間位置１５６は、前側末端部１５３と後側末端部１５９との間のおよそ中間として示されており、前側１２３と後側１２９とを橋渡しする。しかしながら、様々な実施形態において、中間位置を前側末端部１５３により近く又は後側末端部１５９により近くすることができる。
【００４０】
前側末端部位置１５２は、横方向中心線１１７から前側末端部長手方向外側距離１６２に位置づけられる。後側末端部位置１５８は、横方向中心線１１７から後側末端部長手方向外側距離１６８に位置づけられる。中間位置は、横方向中心線１１７から中間部長手方向外側距離１６６に位置づけられる。
【００４１】
中間部長手方向外側距離１６６は前側末端部長手方向外側距離１６２より長く、かつ後側末端部長手方向外側距離１６８より長い。前側末端部長手方向外側距離１６２は後側末端部長手方向外側距離１６８とおよそ等しい。一部の実施形態において、前側末端部長手方向外側距離は後側末端部長手方向外側距離とほぼ又は正確に等しくあることができる。様々な実施形態において、前側末端部長手方向外側距離を後側末端部長手方向外側距離よりも長くすることができ、又は前側末端部長手方向外側距離を後側末端部長手方向外側距離よりも短くすることができる。中間部１５５と前側末端部１５３との間のＳＡＭ経路１５１の一部分は、前側末端部１５３に近づくと長手方向内側に向きを変え、中間部１５５と後側末端部１５９との間のＳＡＭ経路１５１の一部分は、後側末端部１５９に近づくと長手方向内側に向きを変える。
【００４２】
前側末端部位置１５２は、吸収性コア領域１２６の外側であり、第１側部１３１の前側部分にあり、吸収性コア１２５の長手方向縁部１２４から横方向外側であり、第１サイドパネルの前側部分１３３内にあり、第１サイドパネルの前側部分１３３の横方向内側縁部に近接し、かつシャーシ１２０の最も狭い部分１２２に対して横方向に内側である。一部の実施形態において、前側末端部位置は、シャーシ１２０の最も狭い部分１２２から横方向外側であることができ、及び／又は第１サイドパネルの前側部分１３３の外側であることができ、及び／又は吸収性コア１２５の長手方向縁部１２４に対して横方向に内側であることができ、及び／又は第１側部１３１の前側部分の外側であることができる。
【００４３】
後側末端部位置１５８は、吸収性コア領域１２６の外側であり、第１側部１３９の後側部分にあり、吸収性コア１２５の長手方向縁部１２４から横方向外側であり、第１サイドパネルの後側部分１３７内にあり、第１サイドパネルの後側部分１３７の横方向内側縁部に近接し、かつシャーシ１２０の最も狭い部分１２２に対して横方向に内側である。一部の実施形態において、後側末端部位置は、シャーシ１２０の最も狭い部分１２２から横方向外側であることができ、及び／又は第１サイドパネルの後側部分１３７の外側であることができ、及び／又は吸収性コア１２５の長手方向縁部１２４に対して横方向に内側であることができ、及び／又は第１側部１３９の後側部分の外側であることができる。
【００４４】
図１Ａの実施形態において、前側末端部位置１５２及び後側末端部位置１５８は共に吸収性コア領域１２６の外側である。しかしながら、一部の実施形態において、前側末端部位置が吸収性コア領域の内側に配置され得る一方で、後側末端部位置が吸収性コア領域の外側に配置されることができる。別の実施形態においては、前側末端部位置が吸収性コア領域の外側に配置され得る一方で、後側末端部位置が吸収性コア領域の内側に配置されることができる。
【００４５】
使い捨て着用可能吸収性物品１１０は第２側部も含み、第２側部１４１の前側部分は前側１２３の中に配置され、第２側部１４９の後側部分は後側１２７の中に配置される。使い捨て着用可能吸収性物品１１０は第２サイドパネルを有し、第２サイドパネルは、第２サイドパネル１４３の前側部分と第２サイドパネル１４７の後側部分とを含み、第２側部境界１４５を介して接続されるように構成される。図１Ａの実施形態において、第２サイドパネルは第１サイドパネルと同様に構成される。しかしながら、様々な実施形態において、別の方法としては、第２サイドパネルは異なって構成されることができる。
【００４６】
使い捨て着用可能吸収性物品１１０は外側カバーも含むことができ、様々な実施形態において、外側カバーは固定サブシステム１７０とは別個であることができる。一部の実施形態において、そのような外側カバーの一部又は全部は、伸縮性、弾性、又は伸張性であることができる。
【００４７】
図１Ｂは、装着用に形成された、図１Ａの実施形態の使い捨て着用可能吸収性物品１１０の外側の斜視図を示す。図１Ｂの実施形態において、第１サイドパネルの前側部分１３３は第１側部境界１３５を介して第１サイドパネルの後側部分１３７に接続され、第１サイドパネル１３０を形成する。
【００４８】
図１Ｃは、図１Ｂの実施形態の使い捨て着用可能吸収性物品１１０の第１側部の一部分の拡大図を示す。第１側部境界１３５に近接する接続部１３６は、第１サイドパネルの前側部分１３３を第１サイドパネルの後側部分１３７と接続して第１サイドパネル１３０を形成する。接続部１３６は、締結可能な接続又は恒久接続などの様々な形態をとることができる。一部の実施形態では、接続部１３６の位置は様々である。あるいは、様々な位置における１つ以上の接続部によって側部は形成されることができ、又は側部内に個別の接続部を有さずに側部が形成されることができる。
【００４９】
本開示の様々な実施形態において、固定サブシステム１７０の１つ以上の部品又は少なくとも一部分は第１サイドパネル１３０に構造的に関連付けられる。一部の実施形態において、固定サブシステムの少なくとも一部分、若しくは固定サブシステムのほぼ全部、又は更には固定サブシステムの全部は、サイドパネルと分離性であることができ、若しくはサイドパネルに接合されることができ、又はサイドパネルに取り付けることができ、あるいはサイドパネルの中に組み込むことができ、又はサイドパネルと一体とすることができる。様々な実施形態において、ＳＡＭ  １５０の少なくとも一部分、若しくはＳＡＭ  １５０のほぼ全部、又は更にはＳＡＭ  １５０の全部は、第１サイドパネル１３０と分離性であることができ、若しくは第１サイドパネル１３０に接合されることができ、又は第１サイドパネル１３０に取り付けることができ、あるいは第１サイドパネル１３０の中に組み込むことができ、又は第１サイドパネル１３０と一体とすることができる。
【００５０】
固定サブシステム１７０の１つ以上の部分が第１サイドパネル１３０と一体である実施形態では、第１サイドパネル１３０は、固定サブシステム１７０の一体部分を含む第１部分と、第１部分の外側の第２部分とを含むと考えることができる。例えば、ＳＡＭ  １５０の全部が第１サイドパネル１３０と一体である場合、第１部分はＳＡＭ経路１５１を含むのに対し、第２部分はＳＡＭ経路１５１から長手方向外側の第１サイドパネル１３０の領域、並びにＳＡＭ経路１５１に対して長手方向内側の第１サイドパネル１３０の領域を含む。そのような実施形態において、この第１部分及び第２部分は次の例で記載されるような様々な方法で構成されることができる。
【００５１】
第１部分のほぼ全部が１以上のより少ない程度まで漸増式に伸長されることができ、第２部分のほぼ全部が１以上のより多くの程度まで漸増式に伸長されることができるように、使い捨て着用可能吸収性物品１１０は構成されることができる。第１部分が距離の単位当たり第１の特定歯数で漸増式に伸長されることができ、第２部分が距離の単位当たり第２の特定歯数で漸増式に伸長されることができるように、使い捨て着用可能吸収性物品１１０は構成されることができ、第１の特定歯数は第２の特定歯数以下であることができる。例として、第１の特定歯数は第２の特定歯数の１０分の９若しくは約１０分の９、５分の４、４分の３、３分の２、２分の１、３分の１、４分の１、５分の１、又は１０分の１であることができる。
【００５２】
本明細書に記載の弾性率マッピング方法に記載の指向性に基づいて、第１部分のほぼ全部がより高い指向性弾性率を有するように構成されることができ、第２部分のほぼ全部が１つ以上のより低い指向性弾性率を有するように構成されることができるように、使い捨て着用可能吸収性物品１１０は構成されることができる。様々な実施形態において、より高い指向性弾性率は、１つ以上のより低い指向性弾性率よりも少なくとも１０％、少なくとも５０％、少なくとも１００％、少なくとも２５０％、又は少なくとも４００％大きい。第１部分のほぼ全部が１つ以上のより高いキャリパーのエストラマーを含み、第２部分のほぼ全部が１つ以上のより低いキャリパーのエストラマーを含むように、使い捨て着用可能吸収性物品１１０は構成されることができる。第１部分のほぼ全部が１つ以上のより高性能のエストラマーを含み、第２部分のほぼ全部が１つ以上のより低性能のエストラマーを含むように、使い捨て着用可能吸収性物品１１０は構成されることができる。
【００５３】
第１部分のほぼ全域にわたって１つ以上の未伸長部分が配置されることができ、第２部分のほぼ全部が漸増式に伸長されることができるように、使い捨て着用可能吸収性物品１１０は構成されることができる。第１部分のほぼ全域にわたって１つ以上の過接着部分が配置されることができるように、使い捨て着用可能吸収性物品１１０が構成されることができる。第１部分のほぼ全部が特定の歪みにおいて１つ以上のより高い単位幅当たりの抵抗力を有するように構成されることができ、第２部分のほぼ全部が特定の歪みにおいて１つ以上のより低い単位幅当たりの抵抗力を有するように構成されることができるように、使い捨て着用可能吸収性物品１１０は構成されることができる。様々な実施形態において、１つのより高い単位幅当たりの抵抗力と１つのより低い単位幅当たりの抵抗力の比は、少なくとも１．１、少なくとも１．５、少なくとも２、少なくとも３．５、又は少なくとも５であることができる。
【００５４】
一部の実施形態においては、固定サブシステム１７０の外側の第１サイドパネルの一部分中に負荷が張力を引き起こし得る前に、物品の１つ以上の負荷が固定サブシステム１７０中に張力を引き起こすことができるように、使い捨て着用可能吸収性物品１１０は構成されることができる。様々な実施形態において、物品の１つ以上の負荷が、固定サブシステム１７０の外側の第１サイドパネルの一部分の中の張力よりも大きな張力を固定サブシステム１７０の中に引き起こすことができるように、使い捨て着用可能吸収性物品１１０は構成されることができる。
【００５５】
前述の要素に加え、図１Ｃは張力線１７５を更に示している。張力線１７５は、どのようにして、得られた保持力で収集された負荷の均衡をＳＡＭ  １５０が保ち得るのか、そしてその結果固定サブシステム１７０が使い捨て着用可能吸収性物品１１０を着用者の所定の場所に保持するのを少なくとも支援し得るのか、を示す。例えば、ＳＡＭ  １５０は、前側末端部１５３の、後側末端部１５９の、及び／又は第１ＳＡＭ経路１５１に沿った負荷を収集することができる。更なる例として、着用者の体との直接的又は間接的な接触によってＳＡＭ  １５０が第１ＳＡＭ経路１５１の下に固定の影響を受けると、ＳＡＭ  １５０はまた、前側末端部１５３において、後側末端部１５９において、及び／又は第１ＳＡＭ経路１５１に沿って保持力を得ることができる。
【００５６】
シャーシ１２０及び／又は第１サイドパネル１３０などの使い捨て着用可能吸収性物品１１０の様々な部品を介して、これらの負荷及び抵抗力は受容されることができる。ＳＡＭ  １５０は吸収性コア１２５に直接接続されず、かつＳＡＭ経路１５１は吸収性コア領域１２６の外側に配置されるが、使い捨て着用可能吸収性物品１１０の様々な部品を介して吸収性コア１２５からの負荷をＳＡＭ  １５０へと伝達することができ、これにより、得られる保持力で収集された負荷の均衡を保つことができ、その結果固定サブシステム１７０が使い捨て着用可能吸収性物品１１０を着用者の所定の場所に保持するのを少なくとも支援することができると言う点で、固定サブシステム１７０は、吸収性コア１２５を着用者に間接的に固定するように構成される。結果として、物品は着用者の所定の場所に留まりかつ漏れない傾向があるので、使い捨て着用可能吸収性物品１１０は付け心地が良く、見栄えが良く、、かつ適切に機能することができる。図１Ａ〜図１Ｃの実施形態に加え、パンツ型の使い捨て着用可能吸収性物品はまた、本発明と同日に出願され、かつ代理人整理番号１０８９７Ｒ、１０８９７Ｒ２、１０８９７Ｒ４、及び１０８９７Ｒ５によって更に識別される、発明の名称「固定サブシステムを有する使い捨て着用可能吸収性物品（Disposable Wearable Absorbent Articles with Anchoring Subsystems）」である米国仮特許出願に記載のような様々な他の方法で構成されることができ、当該特許は参照により本明細書に組み込まれる。
【００５７】
図２Ａは、厳密に１つの側部固定部材２５０を有する固定サブシステム２７０を含む、前側締結可能な使い捨て着用可能吸収性物品２１０の内側の平面図を示す。長手方向中心線２１３及び横方向中心線２１７は、横方向内側２１２、横方向外側２１４、長手方向内側２１６、及び長手方向外側２１８の相対的な位置を参照するため参照線を提供する。
【００５８】
使い捨て着用可能吸収性物品２１０は、前側２２３と後側２２７とを含む。使い捨て着用可能吸収性物品２１０はまた、シャーシ２２０と、前側ウエストバンド２２１と、シャーシ２２０の最も狭い部分２２２と、長手方向縁部２２４を有する吸収性コア２２５と、吸収性コア領域２２６と、前側腰縁部２２８−Ｆと、後側腰縁部２２８−Ｂと、後側ウエストバンド２２９とを含む。吸収性コア２２５及び長手方向縁部２２４をより明確に示すために、シャーシ２２０の一部分は表面を一部切り取って示されている。第１側部２８１の前側部分は前側２２３の中に配置される。第１側部２８９の後側部分は後側２２７の中に配置される。
【００５９】
使い捨て着用可能吸収性物品２１０は、第１側部２８９の後側部分に接続される第１側部耳部２８５を有する。本開示全体を通して、明確にするために、側部耳部は使い捨て着用可能吸収性物品内の個別要素として示されている。しかしながら、様々な実施形態において、側部耳部の１つ以上の部分又は全部は使い捨て着用可能吸収性物品内の個別要素でなくてもよい。第１側部耳部２８５は、第１側部耳部２８５の横方向末端縁に近接して配置される締結具２８３を含む。第１側部耳部２８５は、前側２２３の中の締結領域２９０に締結するように構成される。
【００６０】
使い捨て着用可能吸収性物品２１０は固定サブシステム２７０を含む。固定サブシステム２７０は吸収性コア２２５に直接接続されておらず、吸収性コア領域２２６の外側であり、したがって固定サブシステム２７０は吸収性コア２２５と別個である。使い捨て着用可能吸収性物品２１０が着用されたときに、ＳＡＭ  ２５０は着用者の下部胴体をほぼ又は完全に取り囲まないので、固定サブシステム２７０はサブシステムであると考えられる。固定サブシステム２７０も、使い捨て着用可能吸収性物品２１０の特定の画定された部分内に包含されるので、サブシステムであると考えられる。図２Ａ〜図２Ｃの実施形態において、固定サブシステム２７０は使い捨て着用可能吸収性物品２１０の第１側部内に包含されるので、固定サブシステム２７０は側部固定サブシステムであると考えられる。
【００６１】
固定サブシステム２７０はＳＡＭ  ２５０を含む。ＳＡＭ  ２５０の少なくとも一部分が使い捨て着用可能吸収性物品２１０の側部を通過するので、ＳＡＭ  ２５０は側部固定部材であると考えられる。図２Ａの実施形態において、ＳＡＭ  ２５０は第１側部耳部２８５内に包含されている。様々な実施形態において、ＳＡＭ  ２５０の一部又は全部は測地線として構成されることができ、その結果固定サブシステム２７０は測地線的固定を提供することができる。
【００６２】
ＳＡＭ  ２５０はＳＡＭ経路２５１に沿って配置される。ＳＡＭ経路２５１は、前側末端部２５３と、後側末端部２５９と、中間部２５５とを含む。前側末端部２５３前側末端部位置２５２に配置される。物品２１０が平らに広げられると、図２Ａに示されるように、第１側部耳部２８５は第１側部２８９の後側部分に接続されるので、前側末端部２５３は後側２２７の中に配置されると考えることができる。しかしながら、物品２１０が装着用に形成されると、図２Ｃに示されるように、第１側部耳部２８５は第１側部２８１の前側部分に締結されるので、前側末端部２５３は前側２２３の中に配置されると考えることができる。後側末端部２５９は後側末端部位置２５８に配置される。中間部２５５は、ＳＡＭ経路２５１に沿って前側末端部２５３と後側末端部２５９との間の中間位置２５６に配置される。図２Ａの実施形態では、中間位置２５６は前側末端部２５３と後側末端部２５９との間のおよそ中間として示されている。しかしながら、様々な実施形態において、中間位置を前側末端部２５３により近く又は後側末端部２５９により近くすることができる。
【００６３】
前側末端部位置２５２は、横方向中心線２１７から前側末端部長手方向外側距離２６２に位置づけられる。後側末端部位置２５８は、横方向中心線２１７から後側末端部長手方向外側距離２６８に位置づけられる。中間位置は、横方向中心線２１７から中間部長手方向外側距離２６６に位置づけられる。中間部長手方向外側距離２６６は前側末端部長手方向外側距離２６２より長く、かつ後側末端部長手方向外側距離２６８より長い。
【００６４】
前側末端部長手方向外側距離２６２は後側末端部長手方向外側距離２６８とおよそ等しい。一部の実施形態において、前側末端部長手方向外側距離は後側末端部長手方向外側距離とほぼ又は正確に等しくあり得る。様々な実施形態において、前側末端部長手方向外側距離を後側末端部長手方向外側距離より長くすることができ、又は前側末端部長手方向外側距離を後側末端部長手方向外側距離より短くすることができる。中間部２５５と前側末端部２５３との間のＳＡＭ経路２５１の一部分は、前側末端部２５３に近づくと長手方向内側に向きを変え、中間部２５５と後側末端部２５９との間のＳＡＭ経路２５１の一部分は、後側末端部２５９に近づくと長手方向内側に向きを変える。
【００６５】
前側末端部位置２５２は締結具２８３に近接する。物品２１０が装着用に形成された場合の前側末端部位置２５２が、図２Ｃに関連して記載される。後側末端部位置２５８は、吸収性コア領域２２６の外側であり、第１側部２８９の後側部分にあり、吸収性コア２２５の長手方向縁部２２４から横方向外側であり、シャーシ２２０の最も狭い部分２２２から横方向外側であり、第１側部耳部２８５内にあり、第１側部耳部２８５の横方向内側縁部に近接する。一部の実施形態において、後側末端部位置は、第１側部耳部２８５の外側であることができ、及び／又はシャーシ２２０の最も狭い部分２２２に対して横方向に内側であることができ、及び／又は吸収性コア２２５の長手方向縁部２２４に対して横方向に内側であることができ、及び／又は第１側部２３９の後側部分の外側であることができ、及び／又は吸収性コア領域２２６の内側であることができる。
【００６６】
使い捨て着用可能吸収性物品２１０は第２側部も含み、第２側部２９１の前側部分は前側２２３の中に配置され、第２側部２９９の後側部分は後側２２７の中に配置される。使い捨て着用可能吸収性物品２１０は、締結領域２９０に締結されるように構成される第２側部耳部２９５を有する。図２Ａの実施形態において、第２側部耳部２９５は第１側部耳部２８５と同様に構成される。しかしながら、様々な実施形態において、別の方法としては、第２側部耳部は異なって構成されることができる。
【００６７】
使い捨て着用可能吸収性物品２１０は外側カバーも含むことができ、様々な実施形態において、外側カバーは固定サブシステム２７０とは別個であることができる。一部の実施形態において、そのような外側カバーの一部又は全部は、伸縮性、弾性、又は伸張性であることができる。
【００６８】
図２Ｂは、装着用に形成された、図２Ａの実施形態の使い捨て着用可能吸収性物品２１０の外側の斜視図を示す。図２Ｂの実施形態において、締結具２８３は締結領域２９０に締結される。
【００６９】
図２Ｃは、図２Ｂの実施形態の使い捨て着用可能吸収性物品２１０の第１側部の一部分の拡大図を示す。締結具２８３は締結領域２９０に締結され、その結果第１側部耳部２８５は後側２２７を前側２２３に締結する。結果として、第１側部耳部２８５の一部分は前側２２３の中に配置され、第１側部耳部２８５の一部分は後側２２７の中に配置される。この締結構成において、前側末端部位置２５２は、吸収性コア領域２２６の外側であり、第１側部２８１の前側部分にあり、吸収性コア２２５の長手方向縁部２２４から横方向外側であり、かつシャーシ２２０の最も狭い部分２２２に対して横方向に内側である。一部の実施形態において、前側末端部位置は、シャーシ２２０の最も狭い部分２２２から横方向内側にあることができ、及び／又は吸収性コア２２５の長手方向縁部２２４に対して横方向に内側にあることができ、及び／又は第１側部２８１の前側部分の外側にあることができる。
【００７０】
図２Ｃの実施形態において、前側末端部位置２５２及び後側末端部位置２５８は共に吸収性コア領域２２６の外側である。しかしながら、一部の実施形態において、物品が装着用に形成されると、前側末端部位置は吸収性コア領域の内側に配置されることができ、一方後側末端部位置は吸収性コア領域の外側に配置されることができる。別の実施形態において、物品が装着用に形成されると、前側末端部位置は吸収性コア領域の外側に配置されることができ、一方後側末端部位置は吸収性コア領域の内側に配置されることができる。
【００７１】
様々な本開示の実施形態において、固定サブシステム２７０の１つ以上の部品又は少なくとも一部分を第１側部耳部２８５に構造的に関連付けることができる。一部の実施形態において、固定サブシステムの少なくとも一部分、若しくは固定サブシステムのほぼ全部、又は更には固定サブシステムの全部は、側部耳部と分離性であることができ、若しくは側部耳部に接合されることができ、又は側部耳部に取り付けることができ、あるいは側部耳部の中に組み込むことができ、又は側部耳部と一体とすることができる。様々な実施形態において、ＳＡＭ  ２５０の少なくとも一部分、若しくはＳＡＭ  ２５０のほぼ全部、又は更にはＳＡＭ  ２５０の全部は、第１側部耳部２８５と分離性であることができ、若しくは第１側部耳部２８５に接合されることができ、又は第１側部耳部２８５に取り付けることができ、あるいは第１側部耳部２８５の中に組み込むことができ、又は第１側部耳部２８５と一体とすることができる。
【００７２】
固定サブシステム２７０の１つ以上の部分が第１側部耳部２８５と一体である実施形態では、第１側部耳部２８５は、固定サブシステム２７０の一体部分を含む第１部分と、第１部分の外側の第２部分とを有すると考えることができる。例えば、ＳＡＭ  ２５０の全部が第１側部耳部２８５と一体である場合は、第１部分はＳＡＭ経路２５１を含むのに対し、第２部分は、ＳＡＭ経路２５１から長手方向外側の第１側部耳部２８５の領域並びにＳＡＭ経路２５１に対して長手方向内側の第１側部耳部２８５の領域を含む。そのような実施形態において、この第１部分及び第２部分は、図１Ｃ実施例と関連して記載されるような様々な方法で構成されることができる。
【００７３】
一部の実施形態においては、固定サブシステム２７０の外側の第１側部耳部の一部分の中に負荷が張力を引き起こし得る前に、物品の１つ以上の負荷が固定サブシステム２７０中に張力を引き起こすことができるように、使い捨て着用可能吸収性物品２１０は構成されることができる。様々な実施形態において、物品の１つ以上の負荷が、固定サブシステム１７０の外側の第１側部耳部の一部分の中の張力よりも大きな張力を固定サブシステム２７０の中に引き起こすことができるように、使い捨て着用可能吸収性物品２１０は構成されることができる。
【００７４】
前述の要素に加え、図２Ｃは張力線２７５を更に示している。張力線２７５は、どのようにして、得られた保持力で収集された負荷の均衡をＳＡＭ  １５０が保ち得るのか、そしてその結果固定サブシステム２７０が使い捨て着用可能吸収性物品１１０を着用者の所定の場所に保持するのを少なくとも支援し得るのか、を示す。例えば、ＳＡＭ  ２５０は、前側末端部２５３の、後側末端部２５９の、及び／又は第１ＳＡＭ経路２５１に沿った負荷を収集することができる。更なる例として、着用者の体との直接的又は間接的な接触によってＳＡＭ  ２５０が第１ＳＡＭ経路２５１の下に固定の影響を受けると、ＳＡＭ  ２５０はまた、前側末端部２５３において、後側末端部２５９において、及び／又は第１ＳＡＭ経路２５１に沿って保持力を得ることができる。
【００７５】
シャーシ２２０及び／又は第１側部耳部２８５などの使い捨て着用可能吸収性物品２１０の様々な部品を介して、これらの負荷及び抵抗力を受容することができる。ＳＡＭ  ２５０は吸収性コア２２５に直接接続されず、かつＳＡＭ経路２５１は吸収性コア領域２２６の外側に配置されるが、使い捨て着用可能吸収性物品２１０の様々な部品を介して吸収性コア２２５からの負荷をＳＡＭ  ２５０へと伝達することができ、これにより、得られる保持力で収集された負荷の均衡を保つことができ、その結果固定サブシステム２７０が使い捨て着用可能吸収性物品２１０を着用者の所定の場所に保持するのを少なくとも支援することができると言う点で、固定サブシステム２７０は、吸収性コア２２５を着用者に間接的に固定するように構成される。結果として、物品は着用者の所定の場所に留まりかつ漏れない傾向があるので、使い捨て着用可能吸収性物品２１０は快適な感じがし、魅力的に見え、かつ適切に機能することができる。
【００７６】
図２Ｄは、掛け側締結具２８６及び受け側締結具２８７、並びに厳密に１つの側部固定部材２５０−２を有する固定サブシステム２７０を備える第１側部耳部２８５−２を含む前側締結可能な使い捨て着用可能吸収性物品２１０−２の一部分の拡大図を示す。下記の記述を除き、使い捨て着用可能吸収性物品２１０−２は、図２Ａ〜図２Ｃの実施形態の使い捨て着用可能吸収性物品２１０と同様に構成される。
【００７７】
締結具２８３の代わりに、第１側部耳部２８５−２が掛け側締結具２８６と受け側締結具２８７とを含むことを除いては、第１側部耳部２８５−２は第１側部耳部２８５と同様に構成される。掛け側締結具２８６は第１側部耳部２８５−２の横方向末端縁に近接して配置され、受け側締結具２８７は第１側部耳部２８５−２の長手方向内側縁部に近接して配置される。しかしながら、様々な実施形態において、掛け側締結具及び受け側締結具はその他の場所に配置されることができる。掛け側締結具２８６は締結領域２９０に締結され、受け側締結具２８７は第１側部２８１の前側部分の受け側締結位置に締結され、その結果第１側部耳部２８５−２は後側２２７を前側２２３に締結する。
【００７８】
ＳＡＭ経路２５１の前側末端部２５２が受け側締結具２８７に近接する前側末端部位置２５３に配置されることを除いては、ＳＡＭ  ２５０−２はＳＡＭ  ２５０と同様に構成される。ＳＡＭ  ２５０は、受け側締結具２８７を介してなどのように、使い捨て着用可能吸収性物品２１０の様々な部品を介して前側末端部位置２５３の負荷を収集することができる。第２側部耳部２９５（図示せず）は第１側部耳部２８５−２と同様に構成されることができ、又は異なって構成されることができる。
【００７９】
図２Ｅは、第１掛け側締結具２８２及び第２掛け側締結具２８４並びに厳密に１つの側部固定部材２５０−３を有する固定サブシステム２７０を備える第１側部耳部２８５−３を含む前側締結可能な使い捨て着用可能吸収性物品２１０−３の一部分の拡大図である。下記の記述を除き、使い捨て着用可能吸収性物品２１０−３は、図２Ａ〜図２Ｃの実施形態の使い捨て着用可能吸収性物品２１０と同様に構成される。
【００８０】
締結領域２９０の代わりに、第１側部２８１の前側部分は第１締結領域２９０−１と第２締結領域２９０−２とを含む。第２締結領域は、第１締結領域２９０−１に対して長手方向内側に配置される。しかしながら、代替の実施形態では、第１側部の前側部分は、第１締結領域２９０−１と第２締結領域２９０−２とを組み合わせたのと同様の寸法の単一締結領域を含んでもよい。締結具２８３の代わりに、第１側部耳部２８５−３が第１掛け側締結具２８２と第２掛け側締結具２８４とを含むことを除いては、第１側部耳部２８５−３は第１側部耳部２８５と同様に構成される。第１掛け側締結具２８２は、第１側部耳部２８５−３の横方向末端縁に近接して配置される。第２掛け側締結具は、第１側部耳部２８５−３の横方向末端縁に近接し、かつ第１掛け側締結具２８２に対して長手方向内側に配置される。第１掛け側締結具２８２は第１締結領域２９０−１に締結され、第２掛け側締結具２８４は第２締結領域２９０−２に締結され、その結果第１側部耳部２８５−３は後側２２７を前側２２３に締結される。
【００８１】
ＳＡＭ経路２５１の前側末端部２５２が第２掛け側締結具２８４に近接する前側末端部位置２５３に配置されることを除いては、ＳＡＭ  ２５０−３はＳＡＭ  ２５０と同様に構成される。ＳＡＭ  ２５０は、第２掛け側締結具２８４を介するなど、使い捨て着用可能吸収性物品２１０の様々な部品を介して前側末端部位置２５３で負荷を収集することができる。第２側部耳部２９５（図示せず）は第１側部耳部２８５−３と同様に構成されることができ、又は異なって構成されることができる。
【００８２】
図２Ａ〜図２Ｅの実施形態に加えて、前側締結可能な使い捨て着用可能吸収性物品はまた、本発明と同日に出願され、かつ代理人整理番号１０８９７Ｒ、１０８９７Ｒ２、１０８９７Ｒ４、及び１０８９７Ｒ５によって更に識別される、発明の名称「固定サブシステムを有する使い捨て着用可能吸収性物品（Disposable Wearable Absorbent Articles with Anchoring Subsystems）」である米国仮特許出願に記載のような様々な他の方法で構成されることができ、当該特許は参照により本明細書に組み込まれる。
【００８３】
弾性率マッピング方法
ＳＡＭなどの１つ以上の固定サブシステム要素の存在は、弾性率マッピング方法を用いて検出することができる。この方法はまた、ＳＡＭなどの１つ以上の固定サブシステム要素の特定の弾性率値を測定するためにも用いることができる。弾性率マッピング方法を、図３Ａ〜図３Ｅの実施形態と関連して以下に説明する。
【００８４】
弾性率マッピング方法の第１工程は、使い捨て着用可能吸収性物品内の対象領域を決定することである。対象領域は物品の連続部分であり、試験される１つ以上の固定サブシステム要素を完全に包含する。対象領域は、固定サブシステム要素を囲む物品の１つ以上の部分も含む。換言すれば、対象領域は固定サブシステム要素に限定されず、要素のそれぞれのあらゆる側面に物理的コンテキストを形成する物品の１つ以上の部分を含む。対象領域は、弾性率マッピング方法で試験されるこの物理的コンテキストを、固定システム要素のそれぞれのあらゆる側面に十分に包含すべきである。このようにして、対象領域の中の、物理的コンテキスト内の固定サブシステム要素のそれぞれの存在を検出することができる。
【００８５】
固定サブシステム要素の存在は物品知識によって識別することができる。図３Ａ〜図３Ｅの例示的実施形態では、パンツ型の使い捨て着用可能吸収性物品のサイドパネル３３０はＳＡＭを備える固定サブシステムを包含することが分かっている。したがって、弾性率マッピング方法ではサイドパネル３３０が対象領域である。あるいは、固定サブシステム要素の存在は物品の目視検査により明らかにすることができ、又はその他の事実に基づいて推測することができる。固定サブシステム要素の存在が不確定である場合は、当業者には理解されるように、使い捨て着用可能吸収性物品の１つ以上のサンプルの様々な部分を弾性率マッピング方法の工程で試験することにより、対象領域を決定することができる。
【００８６】
弾性率マッピング方法の第２工程では、対象領域を使い捨て着用可能吸収性物品から切断する。対象領域が使い捨て着用可能吸収性物品のサイドパネルである場合、サイドパネルと物品の残部との間の１つ以上の経路に沿い、物品にわたって連続的な切れ目を入れる。サイドパネルの任意の接続部が締結されたまま及び／又は完全なままであり、対象領域は、物品の連続的な部分であり得る。
【００８７】
対象領域が前側締結可能な使い捨て着用可能吸収性物品の側部耳部の場合には、側部耳部と物品の残部との間の１つ以上の経路に沿って物品を貫いて連続的な切れ目を入れる。側部耳部が締結されている場合、物品から完全に取り除くために締結は外される。サイドパネル又は側部耳部よりも大きい又は小さい面積を含む他の対象領域では、領域の両側部で物品の腰縁部上の点から腰縁部と垂直な通路を切断して、連続的な切れ目を入れる。これらの切れ目は物品の脚部開口部に達するまで連続するか、又は腰縁部と平行な最短切断通路上の脚部開口部に達するために曲がるかのいずれかである。対象領域の任意の接続部は、締結されたままである及び／又は完全なままであり、したがって対象領域は、物品の連続的な部分であり得る。
【００８８】
弾性率マッピング方法の第３工程では、正方形のグリッドであるマークをマップの対象領域に付ける。対象領域にマークを付けるとき、対象領域の表面が阻害を受けない又は歪まないように、この領域は平坦に置かれる。一般的に、マップのグリッド線は、使い捨て着用可能吸収性物品の横方向に対して平行及び垂直に走るべきである。しかしながら、対象領域の材料が、弾性、伸長性、又は伸張性に関する主要方向を有する場合、マップのグリッド線は、伸長のこの主要方向に対して平行及び垂直に走るべきである。グリッド内の各正方形は、５．０ミリメートル×５．０ミリメートルである。グリッド線は、目盛り付き定規の使用など、様々な方法で測定することができる。グリッド線はまた、先の細いマーカーを使用するなど、様々な方法でマークを付けることができる。マークを付けたマップは、列Ｒ１〜Ｒｎ、及び行Ｃ１〜Ｃｎを備える、正方形のグリッドである。したがって、マップ上の各正方形は、列及び行番号により、独自に参照することができる（例えば、行１、列１の正方形は、Ｃ１：Ｒ１）。
【００８９】
図３Ａは、弾性率マッピング方法で試験するために、物品から切り取られかつマップ３７１でマークを付けられた、使い捨て着用可能吸収性物品のサイドパネル３３０の一部分の拡大図を示す。図３Ａは、横方向に内側３１２及び横方向外側３１４の方向（参照しやすいように物品の後側３２７に対する横方向を用いている）並びに長手方向内側３１６及び長手方向外側３１８の方向を示している。サイドパネル３３０の部分は、後側３２３の一部分と、前側３２７の一部分と、前側腰縁部３２８−Ｆの一部分と、後側腰縁部３２８−Ｂの一部分と、サイドパネル３３３の前側部分と、接続部３３６と、サイドパネル３３７の後側部分とを含む。図３Ａの実施形態では、対象領域の材料の伸縮性の主要方向は横方向である。したがって、上記のように、マップ３７１をサイドパネル３３０の上にマークするとき、その結果、マップ３７１のグリッド線は、その伸縮の主要方向である横方向に平行及び垂直に走る。
【００９０】
弾性率マッピング方法の第４工程では、対象領域が試験される。弾性率の計算で使用するために対象領域の寸法が測定及び記録される。材料の厚さを決定するために、３．１４ｃｍ２の円形フットキャリパー（round foot caliper）を、圧力０．５ｋＰａ及び滞留時間１０秒で使用する。試験は、５Ｎのロードセルを装着された、定速伸張の引張試験機を使用する。引張試験機は、テストワークス（Test Works）４ソフトウェアを有するＭＴＳアライアンス（MTS Alliance）（ミネソタ州エデンプレイリーのＭＴＳシステムズ社（MTS Systems Corp., Eden Prairie, Minnesota）から入手可能）などのコンピュータインターフェースを含む。以下に記載される試験装置に関し、寸法が正確な値で示される。
【００９１】
引張試験機は、１０Ｎアドバンテージ（Advantage）（商標）空気式グリップ（部品１００−０３２−０１７としてＭＴＳから入手可能）、及び平滑な鋼表面（部品５６−１６３−７０２としてＭＴＳから入手可能）を備える１５ミリメートル幅×８ミリメートル高さの１０Ｎアドバンテージ（Advantage）（商標）グリップ面のセットを装着される。各グリップ面は、硬質ゴム面材（ゴム面材）をグリップ面に実装することによって改善される。ゴム面材は、７０Ａのデュロメータ定格を有する硬質ネオプレンゴムである。ゴム面材は、５．００ミリメートル幅×８．０ミリメートル高さ×２．０ミリメートル深さである。ゴム面材は、グリップ面の基部幅の真ん中に合わせられる。空気式グリップが閉じられるとき、ゴム面材は、垂直及び水平に位置合わせされるべきである。
【００９２】
図３Ｃは、弾性率マッピング方法で使用する上記のように改良された空気式グリップ３０１を示す。改良された空気式グリップ３０１は、ベースグリップ幅３０２（１５ミリメートル）とベースグリップ高さ３０３（８ミリメートル）とを含む。改良された空気式グリップ３０１はまた、面幅３０６（５．００ミリメートル）、面高３０７（８．０ミリメートル）、及び面深さ３０８（２．０ミリメートル）を有する硬質ゴム面材３０５を含む。
【００９３】
この試験装置を使用して、以下の弾性率マッピング方法で対象領域を試験する。明確にするために、この試験の説明において、対象領域への言及は図３Ａの実施形態のサイドパネル３３０を指す。引張試験機のデータ獲得率を１００Ｈｚに設定し、標点距離を５．０ｍｍに設定する。クロスヘッド及びロードセルはゼロにする。対象領域の弾性、伸長性、又は伸張性に主要方向がない場合、対象領域は、以下のように挿入及び位置合わせされる。対象領域は正方形Ｃ１：Ｒ１で上部空気式グリップに挿入され、サイドパネル３３０を使い捨て着用可能吸収性物品の横方向に引っ張るように配向される。上部グリップが、正方形Ｃ１：Ｒ１の外側で、正方形Ｃ１：Ｒ１の横方向外側グリッド線に沿って位置合わせされ、閉じられる。対象領域はまた下部空気式グリップにも挿入され、正方形Ｃ１：Ｒ１の外側で、正方形の横方向内側グリッド線に沿って位置合わせされ、閉じられる。
【００９４】
対象領域の弾性、伸長性、又は伸張性に主要方向がある場合、対象領域は、以下のように挿入され、位置合わせされる。対象領域は正方形Ｃ１：Ｒ１で上部空気式グリップに挿入され、サイドパネル３３０を伸縮の主要方向に引っ張るように配向される。上部グリップは、正方形Ｃ１：Ｒ１の外側で、伸長の主要方向と垂直な正方形の第１グリッド線に沿って位置合わせされ、閉じられる。対象領域はまた、下部空気式グリップに挿入され、正方形Ｃ１：Ｒ１の外側で、第１グリッド線と並列であり、また伸長の主要方向と垂直である第２グリッド線に沿って位置合わせされ、閉じられる。
【００９５】
対象領域は、あらゆるたるみを排除するのに十分な張力下にあるが、ロードセルにおいて、０．０２Ｎ未満の力であるべきである。張力試験が開始され、データが収集される。グリップは、毎分２５ミリメートルの一定速度で１０％歪みまで離れていく。対象領域は、例えば、横方向又は伸長の主要方向などの特定の方向に引っ張られるため、正方形の弾性率は指向性弾性率として計算される。正方形の指向性弾性率は、弾性率直線（弾性率直線）を決定するための５０％の傾斜区分長さを使用し、得られる応力対歪み曲線の線状区域の傾斜として算出される。
【００９６】
例として、図３Ｃは、メガパスカルでの応力３７２対百分率での歪み３７３と、及び５０％の傾斜区分長さ点３７８から点３７９までを使用する弾性率直線３７７とを有する、マップ３７１の正方形の弾性率の代表的なグラフを例示する。指向性弾性率は、±０．０１メガパスカルまで決定され、記録される。この試験手順は、第１行（Ｃ１：Ｒ１〜Ｃ１：Ｒｎ）を試験し、続いて、連続する行（Ｃ２〜Ｃｎ）を順次試験することによって、マップの各正方形に対して繰り返される。
【００９７】
図３Ｄは、対象領域のマップ３７１の各正方形を試験しかつ記録する弾性率マッピング方法で得た、及びメガパスカルで表わされた方向性の弾性率の値を有する例示的なチャートを示しており、対象領域は使い捨て着用可能吸収性物品のサイドパネル３３０である。
【００９８】
弾性率マッピング方法の第５工程では、弾性率マッピング方法試験で得た指向性弾性率の値をプロットし、評価する。方向性の弾性値の値が、マイクロソフトエクセル（Microsoft Excel）（商標）などの表計算ソフトに転送され、表面輪郭プロットとしてプロットされる。プロットでは、固定サブシステム要素と無関係の、対象領域の継ぎ目、シャーシの結合、及び／又はその他のそのような不連続構造に由来する高弾性率値を切り捨てるために最大Ｚ軸値を設定する。例として、弾性率が最低の領域の指向性弾性率の上限値のおよそ３倍半である最大値が、図３Ｄの実施形態の指向性弾性率の値に有用である。
【００９９】
対象領域の高い及び低い指向性弾性率の既存のパターンのプロットを視覚的に評価するために、主な値間隔を選択する。５つの間隔のうち最小のものがこの評価に使用されるべきである。例えば、図３Ｄの実施形態の指向性弾性率の値には間隔値約０．２９メガパスカルが有用である。視覚的パターン認識における当業者は、これらの値が代表であり、所与の一連の指向性弾性率値に関して経験的に決定されることができることを理解するだろう。
【０１００】
図３Ｅは、上記のような、弾性率マッピング方法で用いるための、図３Ｄの実施形態のチャートの指向性弾性率の値の例示的な表面輪郭プロットを示す。図３Ｅにおいて、最大ｚ軸値は１．３９メガパスカルで切り捨てられ、これは、最低弾性率領域の指向性弾性率の上限値（例えば、０．３９メガパスカル）の３倍半である。主な値間隔は０．２９メガパスカルとなるように選択される。
【０１０１】
視覚的パターン認識における当業者は、図３Ｅのプロットが、厳密に１つのＳＡＭ  ３５０を有する固定サブシステムの存在を示していることを理解するであろう。図３Ａ〜図３Ｅの例示的実施形態のＳＡＭ  ３５０の寸法及び／又は形状は、他の本開示の実施形態と一致してもよく、又は一致しなくてもよい。しかしながら、当業者には理解されるように、本開示のＳＡＭの実施形態の存在を検出するのに弾性率マッピング方法を用いることができる。更に、図３Ｅのプロットは、ＳＡＭが０．５８メガパスカルから０．７７メガパスカルまでの間の指向性弾性率を有することを示している。１つのＳＡＭ  ３５０はサイドパネルの側部接続部を通って延びる。したがって、１つ以上の固定サブシステム要素の存在を検出するために、及びそのような要素の特定の指向性弾性率の値を測定するために、弾性率マッピング方法を用いることができる。
【０１０２】
本開示の実施形態は、着用者に適切に合わせる固定サブシステムを有する使い捨て着用可能吸収性物品を含む。これらの物品の設計は、着用者が着用したとき物品がたるむ又は滑り落ちるのを防止するのを助ける。その結果、本開示の使い捨て着用可能吸収性物品は、物品が着用者の所定の場所に留まり、漏れない傾向があるので付け心地が良く、、見栄えが良く、適切に機能することができる。
【０１０３】
本明細書に開示される寸法及び値は、列挙された正確な数値に厳しく限定されるものとして理解されるべきではない。それよりむしろ、特に規定がない限り、こうした各寸法は、列挙された値とその値周辺の機能的に同等の範囲との両方を意味することを意図されている。例えば、「４０ｍｍ」として開示した寸法は、「約４０ｍｍ」を意味することを意図したものである。
【０１０４】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、本明細書中で開示又は請求される任意の発明に対する従来技術であるか、又は単一若しくは他の参照と組み合わせて、任意のかかる発明を参照、教示、提案又は開示すると見なすべきではない。更には、本書における用語のいずれかの意味又は定義が、参照により組み込まれた文献における同一の用語のいずれかの意味又は定義と相反する限りにおいて、本書においてその用語に与えられた定義又は意味を適用するものとする。
【０１０５】
本発明の特定の諸実施形態を図示し、記載したが、本発明の趣旨及び範囲から逸脱することなく他の様々な変更及び改変を実施できることは当業者には自明であろう。したがって、本発明の範囲内にあるような全ての変更及び改変は、添付の特許請求の範囲に包含されるものとする。
【図１Ａ】
2010536525.tif 000003
【図１Ｂ】
2010536525.tif 000004
【図１Ｃ】
2010536525.tif 000005
【図２Ａ】
2010536525.tif 000006
【図２Ｂ】
2010536525.tif 000007
【図２Ｃ】
2010536525.tif 000008
【図２Ｄ】
2010536525.tif 000009
【図２Ｅ】
2010536525.tif 000010
【図３Ａ】
2010536525.tif 000011
【図３Ｂ】
2010536525.tif 000012
【図３Ｃ】
2010536525.tif 000013
【図３Ｄ】
2010536525.tif 000014
【図３Ｄ−Ａ】
2010536525.tif 000015
【図３Ｄ−Ｂ】
2010536525.tif 000016
【図３Ｄ−Ｃ】
2010536525.tif 000017
【図３Ｄ−Ｄ】
2010536525.tif 000018
【図３Ｄ−Ｅ】
2010536525.tif 000019
【図３Ｄ−Ｆ】
2010536525.tif 000020
【図３Ｅ】
2010536525.tif 000021
【国際調査報告】
2010536525.tif 000022
2010536525.tif 000023
2010536525.tif 000024